(57)【要約】【課題】時間帯別電灯に対応し、かつ居住者の動向に基づいた省エネルギーを図る。【解決手段】ＨＥＭＳ３０は、時間帯別電灯の料金単価及び電流センサ２０Ａ〜２０Ｅ段が検知した電流値に基づいて指定された年月日での単位時間別の電気代を算出すると共に、算出した単位時間別の電気代を、居住者の行動履歴及び時間帯別電灯の料金単価の少なくとも一方と同一の時間軸で１の画面上に表示する。【選択図】図１
2014178766.tif 000002
【特許請求の範囲】
【請求項１】
電流値を検知する検知手段と、
期間の指定が可能な入力手段と、
情報の表示が可能な表示手段と、
時間帯ごとの電力の料金単価を予め記憶し、前記検知手段が検知した電流値または該電流値から算出される電力量を時間に対応付けて記憶する記憶手段と、
前記入力手段で期間を指定した場合に、前記料金単価、該指定した期間に前記検知手段が検知した前記電流値または電力量を前記記憶手段から取得し、前記指定した期間での単位時間別の電気代を算出すると共に、該算出した単位時間別の電気代と前記指定した期間において前記記憶手段に記憶された居住者の行動履歴および前記料金単価の少なくとも一方とを同一の時間軸で１の画面上に表示するように前記表示手段を制御する制御手段と、
を備えたエネルギー消費量表示システム。
【請求項２】
前記検知手段は、前記住宅の分電盤の分岐回路別に電流値を検知し、
前記記憶手段は、前記検知手段が検知した前記分岐回路別の電流値又は該電流値から算出される電力量を時間に対応付けて記憶すると共に、前記住宅が有する複数の領域と前記分岐回路との対応関係を予め記憶し、
前記制御手段は、前記分岐回路別の電流値又は電力量及び前記複数の領域と前記分岐回路との対応関係を前記記憶手段から取得し、前記指定した期間での前記領域別の電気代及び前記分岐回路別の電気代をさらに算出すると共に、該算出した前記領域別又は前記分岐回路別の電気代を、前記指定した期間での単位時間別の電気代、並びに前記指定した期間での前記行動履歴及び前記料金単価の少なくとも一方と共に同一画面上に表示するように前記表示手段を制御する請求項１に記載のエネルギー消費表示システム。
【請求項３】
前記入力手段は、前記指定した期間において時間帯をさらに指定可能で、
前記制御手段は、前記入力手段から前記時間帯をさらに指定した場合には、該指定した時間帯での前記領域別の電気代及び前記分岐回路別の電気代をさらに算出し、該算出した前記時間帯での前記領域別又は前記分岐回路別の電気代を、前記指定した期間での単位時間別の電気代、並びに前記指定した期間での前記行動履歴及び前記料金単価の少なくとも一方と共に同一画面上に表示するように前記表示手段を制御する請求項２に記載のエネルギー消費表示システム。
【請求項４】
前記入力手段は、前記表示手段に表示された前記指定した期間での単位時間別の電気代、前記指定した期間での前記行動履歴又は前記料金単価の任意の箇所が選択されることで前記時間帯が入力される請求項３に記載のエネルギー消費表示システム。
【請求項５】
前記制御手段は、前記領域別の電気代及び前記分岐回路別の電気代を金額が大きな順に表示するように前記表示手段を制御する請求項２〜４のいずれか１項に記載のエネルギー消費表示システム。
【請求項６】
前記制御手段は、前記領域別の電気代及び前記分岐回路別の電気代の最大値を一定の長さの棒グラフで表示する請求項２〜５のいずれか１項に記載のエネルギー消費表示システム。
【請求項７】
前記制御手段は、前記入力手段から前記領域別の電気代又は前記分岐回路別の電気代を表示する指令の入力があった場合に、前記領域別の電気代又は前記分岐回路別の電気代を各々表示するように前記表示手段を制御し、前記入力手段から前記領域別の電気代又は前記分岐回路別の電気代を表示する指令の入力がなかった場合には、前記料金単価に係る時間帯別に電気料金を表示する請求項２〜６のいずれか１項に記載のエネルギー消費表示システム。
【請求項８】
電流値を検知する検知手段と、
期間の指定が可能な入力部と、前記検知手段が検知した電流値または該電流値から算出される電力量を時間に対応付けて送信可能であると共に、前記入力部で指定した期間、及び居住者の行動履歴を送信可能な送信部とを含む送信端末と、
前記送信端末が送信した前記電流値または電力量、前記時間、前記行動履歴、及び前記入力部で指定した期間を受信可能な受信部と、時間帯ごとの電力の料金単価及び前記行動履歴を記憶し、かつ前記受信部が受信した電流値または電力量を前記時間に対応付けて記憶する記憶部と、前記受信部が前記入力部で指定した期間を受信した場合に、前記料金単価、該指定された期間に前記検知手段が検知した前記電流値または電力量及び該指定された期間での前記行動履歴を前記記憶部から取得し、前記指定した期間での単位時間別の電気代を算出して前記指定した期間での前記行動履歴及び前記料金単価と共に送信する情報処理手段と、
前記情報処理手段が送信した前記指定した期間での単位時間別の電気代、前記指定した期間での前記行動履歴及び前記料金単価を受信し、前記指定した期間での単位時間別の電気代と前記指定した期間での前記行動履歴および前記料金単価の少なくとも一方とを同一の時間軸で１の画面上に表示する表示端末と、
を備えたエネルギー消費量表示システム。
【請求項９】
前記検知手段は、前記住宅の分電盤の分岐回路別に電流値を検知し、
前記送信手段は、前記住宅の分電盤の分岐回路別の電流値又は該電流値から算出される電力量を時間に対応付けて前記送信部によって送信し、
前記情報処理手段は、前記記憶部に、前記送信端末から受信した前記分岐回路別の電流値又は該電流値から算出される電力量を時間に対応付けて記憶すると共に、前記住宅が有する複数の領域と前記分岐回路との対応関係を予め記憶し、前記検知手段が検知した前記分岐回路別の電流値又は電力量及び前記複数の領域と前記分岐回路との対応関係を前記記憶部から取得し、前記指定した期間での前記領域別の電気代及び前記分岐回路別の電気代をさらに算出すると共に、該算出した前記領域別又は前記分岐回路別の電気代を前記表示端末へさらに送信し、
前記表示端末は、前記領域別又は前記分岐回路別の電気代を、前記指定した期間での単位時間別の電気代、並びに前記指定した期間での前記行動履歴及び前記料金単価の少なくとも一方と共に同一画面上に表示する請求項８に記載のエネルギー消費表示システム。
【請求項１０】
前記送信端末は、前記入力部で前記指定した期間において時間帯をさらに指定可能で、該指定した時間帯を前記送信部によって送信し、
前記情報処理手段は、前記送信端末から前記指定した時間帯をさらに受信した場合には、該指定した時間帯での前記領域別の電気代及び前記分岐回路別の電気代をさらに算出し、該算出した前記時間帯での前記領域別又は前記分岐回路別の電気代を前記表示端末へさらに送信し、
前記表示端末は、前記時間帯での前記領域別又は前記分岐回路別の電気代を、前記指定した期間での単位時間別の電気代、並びに前記指定した期間での前記行動履歴及び前記料金単価の少なくとも一方と共に同一画面上に表示する請求項９に記載のエネルギー消費表示システム。
【請求項１１】
前記表示端末は、表示された前記指定した期間での単位時間別の電気代、前記指定した期間での前記行動履歴又は前記料金単価の任意の箇所が選択されることで前記時間帯を入力可能で、該入力された前記時間帯を前記情報処理手段に送信可能な請求項１０に記載のエネルギー消費表示システム。
【請求項１２】
前記表示端末は、前記領域別の電気代及び前記分岐回路別の電気代を金額が大きな順に表示する請求項９〜１１のいずれか１項に記載のエネルギー消費表示システム。
【請求項１３】
前記表示端末は、前記領域別の電気代及び前記分岐回路別の電気代の最大値を一定の長さの棒グラフで表示する請求項９〜１２のいずれか１項に記載のエネルギー消費表示システム。
【請求項１４】
前記情報処理手段は、前記送信端末から前記領域別の電気代又は前記分岐回路別の電気代を表示する指令の受信があった場合に、前記領域別の電気代又は前記分岐回路別の電気代を前記表示端末に送信し、前記送信端末から前記領域別の電気代又は前記分岐回路別の電気代を表示する指令の受信がなかった場合には、前記料金単価に係る時間帯別の電気料金を前記表示端末に送信し、
前記表示端末は、前記情報処理手段から受信した前記領域別の電気代若しくは前記分岐回路別の電気代または前記料金単価に係る時間帯別の電気料金を表示する請求項９〜１３のいずれか１項に記載のエネルギー消費表示システム。
【請求項１５】
コンピュータを、
時間帯によって変化し得る電力の料金単価及び検知手段が検知した電流値に基づいて入力手段から指定された期間での単位時間別の電気代を算出すると共に、該算出した単位時間別の電気代と前記指定された期間での居住者の行動履歴および前記料金単価の少なくとも一方とを同一の時間軸で１の画面上に表示するように表示装置を制御する制御手段
として機能させるためのエネルギー消費量表示プログラム。
【発明の詳細な説明】
【技術分野】
【０００１】
本発明は、住宅におけるエネルギー消費の状況を表示するエネルギー消費表示システムに関する。
【背景技術】
【０００２】
省エネルギーの見地から、住宅での電力等のエネルギーの消費を集計し、単位時間でのエネルギーの消費を時系列で表示するエネルギー消費表示システムがある。
【０００３】
例えば、特許文献１では、指定した日付の住宅でのエネルギー消費の詳細を空調用、照明用等の用途別に時系列で表示するエネルギー消費表示装置が提案されている。
【先行技術文献】
【特許文献】
【０００４】
【特許文献１】特開２０１１−１８０８０７号公報
【発明の概要】
【発明が解決しようとする課題】
【０００５】
しかしながら特許文献１に記載のエネルギー消費表示装置は、時間帯によって電気料金の単価が異なる時間帯別電灯の単価と、時系列で表示される実際の電気代との対比ができないという問題点があった。
【０００６】
また、特許文献１に記載のエネルギー消費表示装置は、住宅の居住者の動向を把握おらず、電気代と居住者の動向とを関連付けて表示できないので、居住者の動向に基づいた省エネルギーができないという問題点があった。
【０００７】
本発明は、上記事実を考慮して成されたもので、時間帯別電灯に対応し、かつ居住者の動向に基づいた省エネルギーに資するエネルギー消費表示システムを提供することを目的とする。
【課題を解決するための手段】
【０００８】
上記課題を解決するための請求項１の発明は、電流値を検知する検知手段と、期間の指定が可能な入力手段と、情報の表示が可能な表示手段と、時間帯ごとの電力の料金単価を予め記憶し、前記検知手段が検知した電流値または該電流値から算出される電力量を時間に対応付けて記憶する記憶手段と、前記入力手段で期間を指定した場合に、前記料金単価、該指定した期間に前記検知手段が検知した前記電流値または電力量を前記記憶手段から取得し、前記指定した期間での単位時間別の電気代を算出すると共に、該算出した単位時間別の電気代と前記指定した期間において前記記憶手段に記憶された居住者の行動履歴および前記料金単価の少なくとも一方とを同一の時間軸で１の画面上に表示するように前記表示手段を制御する制御手段と、を備える。
【０００９】
請求項１に記載の発明によれば、単位時間別の電気代と共に、居住者の行動履歴及び時間帯別電灯の料金単価を同一の時間軸で同一の画面に表示することができる。
【００１０】
請求項２の発明は、請求項１に記載の発明において、前記検知手段は、前記住宅の分電盤の分岐回路別に電流値を検知し、前記記憶手段は、前記検知手段が検知した前記分岐回路別の電流値又は該電流値から算出される電力量を時間に対応付けて記憶すると共に、前記住宅が有する複数の領域と前記分岐回路との対応関係を予め記憶し、前記制御手段は、前記分岐回路別の電流値又は電力量及び前記複数の領域と前記分岐回路との対応関係を前記記憶手段から取得し、前記指定した期間での前記領域別の電気代及び前記分岐回路別の電気代をさらに算出すると共に、該算出した前記領域別又は前記分岐回路別の電気代を、前記指定した期間での単位時間別の電気代、並びに前記指定した期間での前記行動履歴及び前記料金単価の少なくとも一方と共に同一画面上に表示するように前記表示手段を制御する。
【００１１】
請求項２に記載の発明によれば、住宅の居室等の領域別又は分電盤の分岐回路別に電気代を算出することができる。
【００１２】
請求項３の発明は、請求項２に記載の発明において、前記入力手段は、前記指定した期間において時間帯をさらに指定可能で、前記制御手段は、前記入力手段から前記時間帯をさらに指定した場合には、該指定した時間帯での前記領域別の電気代及び前記分岐回路別の電気代をさらに算出し、該算出した前記時間帯での前記領域別又は前記分岐回路別の電気代を、前記指定した期間での単位時間別の電気代、並びに前記指定した期間での前記行動履歴及び前記料金単価の少なくとも一方と共に同一画面上に表示するように前記表示手段を制御する。
【００１３】
請求項３に記載の発明によれば、指定された時間帯において、住宅の居室等の領域別又は分電盤の分岐回路別に電気代を算出することができる。
【００１４】
請求項４の発明は、請求項３に記載の発明において、前記入力手段は、前記表示手段に表示された前記指定した期間での単位時間別の電気代、前記指定した期間での前記行動履歴又は前記料金単価の任意の箇所が選択されることで前記時間帯が入力される。
【００１５】
請求項４に記載の発明によれば、時間に係る情報を含む任意の箇所が選択されることにより、時間帯を入力することができる。
【００１６】
請求項５の発明は、請求項２〜４のいずれか１項に記載の発明において、前記制御手段は、前記領域別の電気代及び前記分岐回路別の電気代を金額が大きな順に表示するように前記表示手段を制御する。
【００１７】
請求項５に記載の発明によれば、電気代が大きな順に表示することができる。
【００１８】
請求項６の発明は、請求項２〜５のいずれか１項に記載の発明において、前記制御手段は、前記領域別の電気代及び前記分岐回路別の電気代の最大値を一定の長さの棒グラフで表示する。
【００１９】
請求項６に記載の発明によれば、電気代の最大値を一定の長さの棒グラフで表示できる。
【００２０】
請求項７の発明は、請求項２〜６のいずれか１項に記載の発明において、前記制御手段は、前記入力手段から前記領域別の電気代又は前記分岐回路別の電気代を表示する指令の入力があった場合に、前記領域別の電気代又は前記分岐回路別の電気代を各々表示するように前記表示手段を制御し、前記入力手段から前記領域別の電気代又は前記分岐回路別の電気代を表示する指令の入力がなかった場合には、前記料金単価に係る時間帯別に電気料金を表示する。
【００２１】
請求項７に記載の発明によれば、いわゆるデフォルトの状態で時間別電灯の料金区分に係る時間帯別に電気料金を表示できる。
【００２２】
上記課題を解決するための請求項８の発明は、電流値を検知する検知手段と、期間の指定が可能な入力部と、前記検知手段が検知した電流値または該電流値から算出される電力量を時間に対応付けて送信可能であると共に、前記入力部で指定した期間、及び居住者の行動履歴を送信可能な送信部とを含む送信端末と、前記送信端末が送信した前記電流値または電力量、前記時間、前記行動履歴、及び前記入力部で指定した期間を受信可能な受信部と、時間帯ごとの電力の料金単価及び前記行動履歴を記憶し、かつ前記受信部が受信した電流値または電力量を前記時間に対応付けて記憶する記憶部と、前記受信部が前記入力部で指定した期間を受信した場合に、前記料金単価、該指定された期間に前記検知手段が検知した前記電流値または電力量及び該指定された期間での前記行動履歴を前記記憶部から取得し、前記指定した期間での単位時間別の電気代を算出して前記指定した期間での前記行動履歴及び前記料金単価と共に送信する情報処理手段と、前記情報処理手段が送信した前記指定した期間での単位時間別の電気代、前記指定した期間での前記行動履歴及び前記料金単価を受信し、前記指定した期間での単位時間別の電気代と前記指定した期間での前記行動履歴および前記料金単価の少なくとも一方とを同一の時間軸で１の画面上に表示する表示端末と、を備える。
【００２３】
請求項８に記載の発明によれば、単位時間別の電気代と共に、居住者の行動履歴及び時間帯別電灯の料金単価を同一の時間軸で同一の画面に表示することができる。
【００２４】
請求項９の発明は、請求項８に記載の発明において、前記検知手段は、前記住宅の分電盤の分岐回路別に電流値を検知し、前記送信手段は、前記住宅の分電盤の分岐回路別の電流値又は該電流値から算出される電力量を時間に対応付けて前記送信部によって送信し、前記情報処理手段は、前記記憶部に、前記送信端末から受信した前記分岐回路別の電流値又は該電流値から算出される電力量を時間に対応付けて記憶すると共に、前記住宅が有する複数の領域と前記分岐回路との対応関係を予め記憶し、前記検知手段が検知した前記分岐回路別の電流値又は電力量及び前記複数の領域と前記分岐回路との対応関係を前記記憶部から取得し、前記指定した期間での前記領域別の電気代及び前記分岐回路別の電気代をさらに算出すると共に、該算出した前記領域別又は前記分岐回路別の電気代を前記表示端末へさらに送信し、前記表示端末は、前記領域別又は前記分岐回路別の電気代を、前記指定した期間での単位時間別の電気代、並びに前記指定した期間での前記行動履歴及び前記料金単価の少なくとも一方と共に同一画面上に表示する。
【００２５】
請求項９に記載の発明によれば、住宅の居室等の領域別又は分電盤の分岐回路別に電気代を算出することができる。
【００２６】
請求項１０の発明は、請求項９に記載の発明において、前記送信端末は、前記入力部で前記指定した期間において時間帯をさらに指定可能で、該指定した時間帯を前記送信部によって送信し、前記情報処理手段は、前記送信端末から前記指定した時間帯をさらに受信した場合には、該指定した時間帯での前記領域別の電気代及び前記分岐回路別の電気代をさらに算出し、該算出した前記時間帯での前記領域別又は前記分岐回路別の電気代を前記表示端末へさらに送信し、前記表示端末は、前記時間帯での前記領域別又は前記分岐回路別の電気代を、前記指定した期間での単位時間別の電気代、並びに前記指定した期間での前記行動履歴及び前記料金単価の少なくとも一方と共に同一画面上に表示する。
【００２７】
請求項１０に記載の発明によれば、指定された時間帯において、住宅の居室等の領域別又は分電盤の分岐回路別に電気代を算出することができる。
【００２８】
請求項１１の発明は、請求項１０に記載の発明において、前記表示端末は、表示された前記指定した期間での単位時間別の電気代、前記指定した期間での前記行動履歴又は前記料金単価の任意の箇所が選択されることで前記時間帯を入力可能で、該入力された前記時間帯を前記情報処理手段に送信できる。
【００２９】
請求項１１に記載の発明によれば、時間に係る情報を含む任意の箇所が選択されることにより、時間帯を入力することができる。
【００３０】
請求項１２の発明は、請求項９〜１１のいずれか１項に記載の発明において、前記表示端末は、前記領域別の電気代及び前記分岐回路別の電気代を金額が大きな順に表示する。
【００３１】
請求項１２に記載の発明によれば、電気代が大きな順に表示することができる。
【００３２】
請求項１３の発明は、請求項９〜１２のいずれか１項に記載の発明において、前記表示端末は、前記領域別の電気代及び前記分岐回路別の電気代の最大値を一定の長さの棒グラフで表示する。
【００３３】
請求項１３に記載の発明によれば、電気代の最大値を一定の長さの棒グラフで表示できる。
【００３４】
請求項１４の発明は、請求項９〜１３のいずれか１項に記載の発明において、前記情報処理手段は、前記送信端末から前記領域別の電気代又は前記分岐回路別の電気代を表示する指令の受信があった場合に、前記領域別の電気代又は前記分岐回路別の電気代を前記表示端末に送信し、前記送信端末から前記領域別の電気代又は前記分岐回路別の電気代を表示する指令の受信がなかった場合には、前記料金単価に係る時間帯別の電気料金を前記表示端末に送信し、前記表示端末は、前記情報処理手段から受信した前記領域別の電気代若しくは前記分岐回路別の電気代または前記料金単価に係る時間帯別の電気料金を表示する。
【００３５】
請求項１４に記載の発明によれば、いわゆるデフォルトの状態で時間別電灯の料金区分に係る時間帯別に電気料金を表示できる。
【００３６】
上記課題を解決するための請求項１５の発明は、コンピュータを、時間帯によって変化し得る電力の料金単価及び検知手段が検知した電流値に基づいて入力手段から指定された期間での単位時間別の電気代を算出すると共に、該算出した単位時間別の電気代と前記指定された期間での居住者の行動履歴および前記料金単価の少なくとも一方とを同一の時間軸で１の画面上に表示するように表示装置を制御する制御手段として機能させる。
【００３７】
請求項１５に記載の発明によれば、単位時間別の電気代と共に、居住者の行動履歴及び時間帯別電灯の料金単価を同一の時間軸で同一の画面に表示することができる。
【発明の効果】
【００３８】
以上説明したように、請求項１に記載の発明は、単位時間別の電気代と共に、居住者の行動履歴及び時間帯別電灯の料金単価を同一の時間軸で同一の画面に表示することにより、時間帯別電灯に対応し、かつ居住者の動向に基づいた省エネルギーに資するという効果を有する。
【００３９】
請求項２に記載の発明によれば、住宅の居室等の領域別又は分電盤の分岐回路別に電気代を算出することにより、居室別又は分岐回路別の省エネルギー対策が可能になるという効果を有する。
【００４０】
請求項３に記載の発明によれば、指定された時間帯において、住宅の居室等の領域別又は分電盤の分岐回路別に電気代を算出することにより、特定の時間帯における居室別又は分岐回路別の省エネルギー対策が可能になるという効果を有する。
【００４１】
請求項４に記載の発明によれば、時間に係る情報を含む任意の箇所が選択されることにより、時間帯を入力することができるので、ユーザの操作が容易になるという効果を有する。
【００４２】
請求項５に記載の発明によれば、電気代が大きな項目から順に表示することにより、省エネルギーを優先すべき居室又は分岐回路を特定できるという効果を有する。
【００４３】
請求項６に記載の発明によれば、電気代の最大値を一定の長さの棒グラフで表示することにより、表示内容の視認性に優れるという効果を有する。
【００４４】
請求項７に記載の発明によれば、時間帯別電灯の料金区分と実際の電気代との対比が可能になるという効果を有する。
【００４５】
請求項８に記載の発明によれば、単位時間別の電気代と共に、居住者の行動履歴及び時間帯別電灯の料金単価を同一の時間軸で同一の画面に表示することにより、時間帯別電灯に対応し、かつ居住者の動向に基づいた省エネルギーに資するという効果を有する。
【００４６】
請求項９に記載の発明によれば、住宅の居室等の領域別又は分電盤の分岐回路別に電気代を算出することにより、居室別又は分岐回路別の省エネルギー対策が可能になるという効果を有する。
【００４７】
請求項１０に記載の発明によれば、指定された時間帯において、住宅の居室等の領域別又は分電盤の分岐回路別に電気代を算出することにより、特定の時間帯における居室別又は分岐回路別の省エネルギー対策が可能になるという効果を有する。
【００４８】
請求項１１に記載の発明によれば、時間に係る情報を含む任意の箇所が選択されることにより、時間帯を入力することができるので、ユーザの操作が容易になるという効果を有する。
【００４９】
請求項１２に記載の発明によれば、電気代が大きな項目から順に表示することにより、省エネルギーを優先すべき居室又は分岐回路を特定できるという効果を有する。
【００５０】
請求項１３に記載の発明によれば、電気代の最大値を一定の長さの棒グラフで表示することにより、表示内容の視認性に優れるという効果を有する。
【００５１】
請求項１４に記載の発明によれば、時間帯別電灯の料金区分と実際の電気代との対比が可能になるという効果を有する。
【００５２】
請求項１５に記載の発明によれば、単位時間別の電気代と共に、居住者の行動履歴及び時間帯別電灯の料金単価を同一の時間軸で同一の画面に表示することにより、時間帯別電灯に対応し、かつ居住者の動向に基づいた省エネルギーに資するという効果を有する。
【図面の簡単な説明】
【００５３】
【図１】本発明の第１の実施の形態に係るエネルギー消費表示システムの一例を示す概略図である。
【図２】本発明の第１の実施の形態に係るエネルギー消費表示システムにおけるＨＥＭＳの概略構成を示すブロック図である。
【図３】本発明の第１の実施の形態に係るエネルギー消費表示システムにおけるＨＥＭＳの消費電力量の表示の処理の一例を示すフローチャートである。
【図４】本発明の第１の実施の形態に係るエネルギー消費表示システムにおける画面表示の一例を示す図である。
【図５】本発明の第１の実施の形態に係るエネルギー消費表示システムにおける画面表示の一例を示す図である。
【図６】本発明の第１の実施の形態に係るエネルギー消費表示システムにおける画面表示の一例を示す図である。
【図７】本発明の第１の実施の形態に係るエネルギー消費表示システムにおける電気料金取得処理の一例を示すフローチャートである。
【図８】本発明の第１の実施の形態に係るエネルギー消費表示システムにおける行動履歴算出処理の一例を示すフローチャートである。
【図９】本発明の第２の実施の形態に係るエネルギー消費表示システムの一例を示す概略図である。
【図１０】本発明の第２の実施の形態に係るエネルギー消費表示システムにおける情報処理サーバの処理の一例を示すフローチャートである。
【発明を実施するための形態】
【００５４】
［第１の実施の形態］
以下、図面を参照して本発明の第１の実施の形態の一例を詳細に説明する。図１は、本発明の実施の形態に係るエネルギー消費表示システムの一例を示す概略図である。
【００５５】
本実施の形態では、系統電力１２からの電力が、主幹ブレーカー１００を介して住宅１０の分電盤１４に供給されている。
【００５６】
主幹ブレーカー１００の系統電力側には、系統電力１２から供給される電力の電流値を検知する主幹ブレーカー電流センサ１１０が設けられている。系統電力１２から分電盤１４に供給された電力は、分岐回路２０Ａ〜２０Ｅを介してリビング５６及びキッチン５８に設置された電力負荷手段並びにドア６６に設けられた電気錠５２に分配されている。
【００５７】
本実施の形態では、一例として、分岐回路２０Ａ、２０Ｂはリビング５６に導かれ、分岐回路２０Ａはエアコン１８に、分岐回路２０Ｂは照明２６に接続されている。また、分岐回路２０Ｃ、２０Ｄはキッチン５８に導かれ、分岐回路２０Ｃは電子レンジ３２に、分岐回路２０Ｄは照明２８に接続されている。また、分岐回路２０Ｅは電気錠５２に接続されている。
【００５８】
分岐回路２０Ａ〜２０Ｅには分岐回路２０Ａ〜２０Ｅの電流値を計測する電流センサ２２Ａ〜２２Ｅが各々設けられている。電流センサ２２Ａ〜２２Ｅからの情報線は、主幹ブレーカー電流センサ１１０からの情報線と住宅内のエネルギーの管理や制御を行うＨＥＭＳ（Home Energy Management System）３０が分電盤１４を制御するための情報線と共にＨＥＭＳ３０に接続されている。なお、図１において破線は計測データ又は制御情報が流れる情報線であるとする。電流センサ２２Ａ〜２２Ｅが検知した電流値は当該電流値が検知された時に対応付けられて、電流センサ２２Ａ〜２２Ｅの検知結果としてＨＥＭＳ３０のメモリに記憶される。
【００５９】
分電盤１４の分岐回路２０Ａ〜２０Ｅには、分岐回路２０Ａ〜２０Ｅをオン状態又はオフ状態に切り替えるための分岐ブレーカー２４Ａ〜２４Ｅが各々設けられ、分岐ブレーカー２４Ａ〜２４Ｅは、ＨＥＭＳ３０によって制御される。
【００６０】
なお、図１では、記載の簡略化のために分岐回路は５系統のみ記載しているが、本実施の形態では５系統以上でも５系統以下でもよく、分岐回路の本数に特段の限定はない。
【００６１】
また、ＨＥＭＳ３０には電気錠５２が接続されている。ＨＥＭＳ３０は電気錠５２にカードキー等によって入力された認証情報が適正か否かを判定し、肯定判定の場合には電気錠５２の施錠又は解錠を行う。また、ＨＥＭＳ３０には人感センサ３４Ａ、３４Ｂが接続されている。人感センサは、赤外線又は超音波によって人の存否を検知するセンサであって、本実施の形態では、一例として、赤外線を用いた人感センサを使用する。ＨＥＭＳ３０は、人感センサ３４Ａ、３４Ｂが検知した結果に基づいて、後述するように、住宅内での居住者の動向を把握することも可能である。
【００６２】
また、ＨＥＭＳ３０にはゲートウェイである終端装置５４が接続されており、終端装置５４を介してネットワーク６０に接続されている。ネットワーク６０には、系統電力１２の情報サーバ１２０が接続されており、ＨＥＭＳ３０は、情報サーバ１２０から電気料金に係る情報を適宜取得可能である。
【００６３】
図２は、本実施の形態に係るエネルギー消費表示システムに係るＨＥＭＳ３０の概略構成を示すブロック図である。
【００６４】
ＨＥＭＳ３０は、コンピュータを含んで構成されており、図２に示すように、ＣＰＵ３６、ＲＯＭ３８、ＲＡＭ４０、及び入出力ポート４２を備えて、これらがアドレスバス、データバス、及び制御バス等のバス４４を介して互いに接続されている。
【００６５】
入出力ポート４２には、各種入出力機器として、表示部４６、操作部４８、及びメモリ５０が接続されている。なお、表示部４６及び操作部４８は一体で構成され、操作部４８は、表示部４６に設けられたタッチパネルを適用することができる。
【００６６】
表示部４６には、住宅１０の指定日における消費電力量の時系列での変化が表示可能である。また、表示部４６には、リビング、キッチン等の住宅１０に複数存在する領域である各エリアでの消費電力量、分岐回路２０Ａ〜２０Ｅの各々での消費電力量、及び特定の時間帯での消費電力量の詳細が表示可能である。また表示部４６には、時間帯別電灯での料金単価、及び居住者の動向等の情報も表示可能である。操作部４８は、例えば、住宅１０の居住者が外出で出払って、住宅１０が無人となった場合に不要となる照明等への電力の供給を止める省エネルギー対応のエネルギー管理である「お出かけモード」のオン又はオフの操作が可能である。居住者が外出したことを意味する「お出かけモード」がオンになった場合、ＨＥＭＳ３０は、分岐ブレーカーをオフにすること等により、照明等の外出時に電力の供給が不要な機器を接続している分岐回路への電力の供給を停止する。
【００６７】
メモリ５０には、分岐ブレーカー２４Ａ〜２４Ｅを制御するプログラム、電流センサ２２Ａ〜２２Ｅの検知結果に基づいて住宅１０での消費電力量を算出するプログラム及びこれらのプログラムを実行するための各種情報等が記憶されている。ＨＥＭＳ３０は、メモリ５０に記憶されたプログラムをＲＡＭ４０等に展開してＣＰＵ３６で実行することにより、住宅１０へ供給する電力の制御等の各種制御及び消費電力量の算出を行うようになっている。
【００６８】
住宅１０の消費電力量は、電流センサ２２Ａ〜Ｅが検知した電流値から算出可能である。分電盤１４から供給される電圧は略１００Ｖなので、本実施の形態では各電流センサが検知した電流値に１００を乗算することで、消費電力量を算出する。しかしながら、電圧の変動が大きい分岐回路では、別途電圧を測定する手段を設けてもよい。電流センサ２２Ａ〜２２Ｅの検知結果及び当該検知結果に基づく消費電力量のデータは、メモリ５０に電流センサ２２Ａ〜Ｅが電流値を検知した年月日時と対応付けられて累積的に記憶される。また、メモリ５０には、「お出かけモード」のオン又はオフの履歴、及び人感センサ３４Ａ、３４Ｂの検知結果も記憶される。
【００６９】
ＨＥＭＳ３０の入出力ポート４２には、分電盤１４、人感センサ３４Ａ、３４Ｂ、電気錠５２及び終端装置５４等が接続されている。
【００７０】
続いて、本実施の形態に係るＨＥＭＳ３０の制御について説明する。図３は、本実施の形態に係るエネルギー消費表示システムにおけるＨＥＭＳの消費電力量の表示の処理の一例を示すフローチャートである。
【００７１】
ステップ３００では、操作部４８から消費電力量を表示する日、月又は年が指定されたか否かが判定され、肯定判定の場合には、ステップ３０２でメモリ５０から指定された日、月又は年において電流センサ２２Ａ〜２２Ｅが検知した電流値の記録を取得する。本実施の形態では、日を指定して電流値の記録をメモリから取得するものとする。
【００７２】
ステップ３０４では、電気料金の単価等の電気料金の情報を取得する。電気料金は日々変わり得るので、本実施の形態では、系統電力１２の情報サーバ１２０から最新の情報を取得可能であるとする。電気料金の情報の取得についての詳細は、図７のフローチャートを用いて後述する。
【００７３】
ステップ３０６では、指定された日の単位時間毎、エリア毎、分岐回路毎の消費電力量を算出し、それに電気料金の単価を乗じて電気代を算出する。
【００７４】
ステップ３０８では、指定された日の居住者の動向の履歴である行動履歴を算出する。この行動履歴の算出についての詳細は、図８を用いて後述する。
【００７５】
ステップ３１０では、算出した電気代、時間帯別電灯の料金単価等の電気料金の情報、居住者の行動履歴等を、表示部４６に表示する。
【００７６】
ステップ３１２では、特定の時間帯が指定されたか否かが判定され、肯定判定の場合には、ステップ３１４で指定された時間帯のエリア別、分岐回路別の消費電力量に基づく電気代を算出し、ステップ３１６で算出した電気代を表示部４６に表示して処理を終了する。ステップ３１２で否定判定の場合には、特定の時間帯での消費電力量に基づく電気代を算出せずに処理を終了する。
【００７７】
なお、図３においては、ステップ３１０、３１６で消費電力量に基づく電気代を表示したが、本実施の形態では、電気代（円）に代えて消費電力量（ＫＷｈ）を表示してもよい。
【００７８】
図４は、本実施形態に係るエネルギー消費表示システムにおける画面表示の一例を示す図である。図４では、消費電力量又は電気代を表示する期間の単位を「年」、「月」、「日」で選択できる期間単位選択ボタン７２が左上に設けられている。本実施の形態では、最も多用されると思われる「日」単位での表示で本実施の形態における画面表示について説明する。
【００７９】
図４の上部中央から右寄りには年月日表示７４があり、表示される年月日は年月日選択ボタン７６をタッチすることにより変更できる。また、期間単位選択ボタン７２の下には表示を電気代（円）又は消費電力量（ｋＷｈ）とに切り換えるための表示単位選択ボタン８０がある。表示単位選択ボタンの隣には、年月日表示部７４に表示されている年月日のデータだけをグラフで表示するかその前期のデータも折れ線グラフで表示するかを選択するグラフ表示選択ボタン８２がある。
【００８０】
本実施の形態では、電気代（円）を年月日表示部７４に表示された日とその前日とについて表示する場合を図４、５、６の各々で説明する。
【００８１】
年月日表示部７４に表示されている日の時系列での電気代は単位時間別の棒グラフで、年月日表示部７４に表示されている日の前日の電気代の時系列での変化は折れ線グラフで、全体表示部８４に各々表示される。
【００８２】
全体表示部８４の下には居住者の外出している時間帯を着色された部分で示す行動履歴表示部８６があり、行動履歴表示部８６の下には時間帯によって電気料金の単価が変化する時間帯別電灯の電気料金の単価を示す電気料金単価表示部８８がある。行動履歴表示部８６及び電気料金単価表示部８８は、全体表示部８４と時系列のスケールを共有し、同一の時間軸で表示されている。そのため、全体表示部８４に表示された時系列での電気代の変化が居住者の外出又は在宅とどのような関係があるのか、又は時間帯によって変化する電気料金の単価とどのような関係があるのかを把握することに資するようになっている。なお、行動履歴表示部８６と電気料金単価表示部８８は少なくとも一方が表示されるようでもよい。
【００８３】
本実施の形態では、全体表示部８４の棒グラフの棒の部分、行動履歴表示部８６に表示された時間帯、電気料金単価表示部８８に表示されている時間帯毎の電気料金の単価の部分はタッチすることで選択可能で、選択した部分は表示色が変化する。
【００８４】
例えば、全体表示部８４で棒グラフの棒のいくつかを選択すると、選択した棒の色が青系統の冷色からオレンジ等の暖色に変化する。また、一例として、行動履歴表示部８６の居住者が外出している時間帯をタッチすると、全体表示部８４で対応する時間帯の棒グラフが冷色から暖色に変化する。同様に、電気料金単価表示部８８で電気料金の単価を任意に選択すると、全体表示部８４で当該単価が適用される時間帯の棒グラフが冷色から暖色に変化する。
【００８５】
全体表示部８４の右には、電気代を居室等のエリア別、分電盤１４の分岐回路２０Ａ〜２０Ｅ別、又は時間帯別に表示可能な詳細表示部９０が設けられている。本実施の形態で、エリアとは、図１におけるリビング５６又はキッチン５８等の別を意味する。図１において、リビング５６には分岐回路２０Ａ、２０Ｂを介して、キッチン５８には分岐回路２０Ｃ、２０Ｄを介して、各々電力が供給されている。本実施の形態におけるエリアにおける電気代とは、当該エリアに接続されている分岐回路を介して供給された電力を消費した結果に基づくものである。本実施の形態では、居室等の各エリアと各エリアに接続されている分岐回路の対応関係がメモリ５０に記憶されている。
【００８６】
図４では、一例として、エリア別の電気代が金額が高い順に表示されている。図４では、リビングにおいて電気代が嵩んでいるが、このように電気代が嵩むエリアに設けられている家電機器等の電力負荷手段の節電を励行する等の省エネルギー対策を講じることが可能となる。
【００８７】
またエリア別の電気代の最大値は、画面において表示可能な範囲いっぱいに一定の長さで表示される。
【００８８】
詳細表示部９０の上部には、電気代をエリア別、分岐回路別、時間帯別の表示に各々切り替えるための表示内容切替ボタン９２があり、表示内容切替ボタン９２に隣接して、時間帯表示部９４と時間帯選択ボタン９６がある。本実施の形態では、時間帯選択ボタン９６をタッチすることにより、年月日表示部７４に表示されている日の任意の時間帯を選択でき、選択した時間帯が時間帯表示部９４に表示され、選択された時間帯におけるエリア別又は分岐回路別の電気代が表示される。なお、時間帯を選択しない場合には、年月日表示部７４に表示されている日における時間帯別の電気代、エリア別又は分岐回路別の電気代が表示される。
【００８９】
時間帯選択ボタン９６で時間帯を選択すると、左の全体表示部８４において対応する時間帯の棒グラフが冷色から暖色に変化する。同様に、全体表示部８４で任意の時間帯の棒グラフをタッチする、行動履歴表示部８６又は電気料金単価表示部８８で任意の領域をタッチすると、タッチした領域に対応した時間帯が詳細表示部９０においても選択される。
【００９０】
図５は、表示内容切替ボタン９２において「分岐」がタッチされた場合の表示の一例を示す図である。図４とは異なり、分岐回路別に電気代が金額が大きな順に表示されている。このように、エリア別ではなく分岐回路別に電気代を表示することにより、消費電力量が大きい分岐回路と当該分岐回路に接続されている家電機器等の電力負荷手段を特定でき、特定した電力負荷手段の節電を励行する等の省エネルギー対策を講じることが可能となる。なお、分岐回路別の電気代も、最大値は、画面において表示可能な範囲いっぱいに一定の長さで表示される。
【００９１】
図６は、全体表示部８４、行動履歴表示部８６又は電気料金単価表示部８８のいずれの領域も選択されていない場合の本実施の形態におけるデフォルトの状態での表示の一例を示す図である。年月日表示部７４に表示された日における時間帯別電灯での料金区分に係る時間帯別で電気料金を表示する。全体表示部８４、行動履歴表示部８６又は電気料金単価表示部８８のいずれかの領域が選択されて図４、５のように詳細表示部９０に選択された時間帯の電気代が表示されたときは、表示内容切替ボタン９２は「エリア」及び「分岐」が選択可能となり、「時間帯」は選択できなくなる。
【００９２】
続いて、図３のステップ３０４における電気料金情報取得処理について説明する。図７は、本実施の形態に係るエネルギー消費表示システムにおける電気料金取得処理の一例を示すフローチャートである。本実施の形態では、料金単価等の電気料金の情報は、基本的にはメモリ５０に記憶されている情報を取得して使用する。しかしながら、料金単価等は、急に変更される場合があるので、最新の情報を常に取得可能であることが望ましい。
【００９３】
ステップ７００では、メモリ５０に記憶されている電気料金の情報の識別子を確認する。識別子は、一例として、記憶されている電気料金の情報のタイムスタンプ、バージョン情報等でよい。
【００９４】
ステップ７０２では、系統電力１２の情報サーバ１２０に最新の電気料金の情報の有無を照会する。ステップ７０４では、電気料金の情報の更新があるか否かを判定する。判定は、例えば、メモリ５０に記憶されている電気料金の情報の識別子と情報サーバ１２０にアップロードされている電気料金の情報の識別子とを比較することによって行う。
【００９５】
ステップ７０４で肯定判定の場合には、ステップ７０６で更新された電気料金の情報を取得して電気料金情報取得処理を終了する。ステップ７０４で否定判定の場合には、情報サーバ１２０から電気料金情報を取得せずに電気料金情報取得処理を終了する。
【００９６】
続いて、図３のステップ３０８における行動履歴算出処理について説明する。図８は、本実施の形態に係るエネルギー消費表示システムにおける行動履歴算出処理の一例を示すフローチャートである。本実施の形態では、基本的には「お出かけモード」がオンになった履歴に基づいて行動履歴を作成するが、以下に述べるように、人感センサ３４Ａ、３４Ｂの検知結果を併用することにより、より実態に則した行動履歴を作成することができる。
【００９７】
ステップ８００は、指定された日の「お出かけモード」の履歴をメモリ５０から取得し、ステップ８０２では、取得した履歴に「お出かけモード」がオンになった記録があるか否かを判定する。ステップ８０２で肯定判定の場合には、ステップ８０４で「お出かけモード」がオンになった記録を抽出する。
【００９８】
ステップ８０６では、人感センサ３４Ａ、３４Ｂの指定日の検知記録をメモリ５０から取得し、ステップ８０８で人感センサ３４Ａ、３４Ｂが人の存在を検知しなかった時間である人感センサ非検知時間があるか否かを判定する。ステップ８０８で肯定判定の場合には、ステップ８１０で人感センサ非検知時間を抽出し、ステップ８１２で「お出かけモード」がオンになった記録に抽出した人感センサ非検知時間を重ねて指定日の行動履歴を算出し、行動履歴算出処理を終了する。
【００９９】
ステップ８０８で否定判定の場合には、ステップ８０４で抽出した「お出かけモード」がオンの記録を居住者の行動履歴として行動履歴算出処理を終了する。
【０１００】
また、ステップ８０２で否定判定の場合には、ステップ８１４で人感センサ３４Ａ、３４Ｂの指定日の検知記録をメモリ５０から取得し、ステップ８１６で人感センサ３４Ａ、３４Ｂが人の存在を検知しなかった時間である人感センサ非検知時間があるか否かを判定する。ステップ８１６で肯定判定の場合には、ステップ８１０で人感センサ非検知時間を抽出し、抽出した人感センサ非検知時間を指定日の行動履歴として行動履歴算出処理を終了する。
【０１０１】
なお、ステップ８１６で否定判定の場合には、居住者は住宅１０に指定日は全日存在したとみなして行動履歴算出処理を終了する。
【０１０２】
以上説明したように、本実施の形態によれば、一画面に全日の時系列での電気代の推移、居住者の外出状況及び時間帯別電灯の料金単価を同一スケールの時間表示に基づいて表示する。かかる表示により、時間帯別電灯に対応し、かつ居住者の動向に基づいた省エネルギーに資することが可能となる。
【０１０３】
さらに、本実施の形態によれば、選択された時間帯における住宅１０のエリア別又は分岐回路別での電気料金が表示可能である。かかる表示により、各時間帯で節電をすべきエリア又は分岐回路を特定し、特定したエリア又は分岐回路に係る電力負荷手段の省エネルギーを図ることができる。
【０１０４】
［第２の実施の形態］
続いて、図面を参照して本発明の第２の実施の形態の一例を詳細に説明する。図９は、本実施の形態に係るエネルギー消費表示システムの一例を示す概略図である。本実施の形態は、第１の実施の形態に比して、情報処理と処理した情報を配信する情報処理サーバ６２及び情報処理サーバ６２と通信可能で、情報処理サーバ６２から情報を受信してディスプレイに表示できる携帯情報端末６４を備える点で相違する。また、本実施の形態では、ＨＥＭＳ３０は、電流センサ２２Ａ〜２２Ｅの検知結果等を終端装置５４を介して情報処理サーバ６２に送信し、情報処理サーバ６２から情報を受信して表示部４６に表示する点でも第１の実施の形態とは相違する。しかしながら、その他の構成については前述の第１の実施の形態と同様なので詳細な説明は省略する。
【０１０５】
なお、携帯情報端末６４は、例えば、タブレットコンピュータ又はスマートフォン等の無線通信による通信機能を有し、情報処理サーバ６２に処理のリクエストに係る通信が可能であって、情報処理サーバ６２から受信した情報を表示可能なディスプレイを有する。
【０１０６】
図１０は、本実施の形態に係るエネルギー消費表示システムにおける情報処理サーバ６２の処理の一例を示すフローチャートである。
【０１０７】
ステップ１００では、ＨＥＭＳ３０又は携帯情報端末６４から消費電力量を表示する日、月又は年が指定されたか否かが判定される。肯定判定の場合には、ステップ１０２でＨＥＭＳ３０から送信され、記憶しておいた電流センサ２２Ａ〜２２Ｅの検知結果のデータから、ＨＥＭＳ３０又は携帯情報端末６４から指定された日、月又は年の検知結果の記録を取得する。本実施の形態では、日を指定して、電流センサ２２Ａ〜２２Ｅの検知結果に係る記録をメモリから取得するものとする。
【０１０８】
ステップ１０４では、電気料金の単価等の電気料金の情報を取得する。電気料金は日々変わり得るので、本実施の形態では、系統電力１２の情報サーバ１２０から最新の情報を取得可能であるとする。電気料金の情報の取得は、図７のフローチャートにおける処理と同一なので、詳細な説明は省略する。
【０１０９】
ステップ１０６では、指定された日の単位時間毎、エリア毎、分岐回路毎の消費電力量を算出し、それに電気料金の単価を乗じて電気代を算出する。情報処理サーバ６２は、住宅１０におけるエリアと分岐回路の対応関係を把握し、メモリに記憶しているものとする。
【０１１０】
ステップ１０８では、ＨＥＭＳ３０から送信された「お出かけモード」の履歴及び人感センサ３４Ａ、３４Ｂの検知結果に基づいて指定された日の居住者の動向の履歴である行動履歴を算出する。この行動履歴の算出処理は、送信された「お出かけモード」の履歴及び人感センサ３４Ａ、３４Ｂの検知結果を情報処理サーバ６２が記憶し、当該記憶した「お出かけモード」の履歴及び人感センサ３４Ａ、３４Ｂの検知結果に基づいて行動履歴を算出する点で図８と相違する。しかしながら、それ以外については図８の処理と同一なので、詳細な説明は省略する。なお、行動履歴の算出は第１の実施の形態と同様にＨＥＭＳ３０で行い、情報処理サーバ６２はＨＥＭＳ３０から行動履歴を受信してもよい。
【０１１１】
ステップ１１０では、算出した電気代、時間帯別電灯の料金単価等の電気料金の情報、居住者の行動履歴等を、ＨＥＭＳ３０又は携帯情報端末６４に送信する。
【０１１２】
ステップ１１２では、特定の時間帯が指定されたか否かが判定され、肯定判定の場合には、ステップ１１４で指定された時間帯のエリア別、分岐回路別の消費電力量に基づく電気代を算出し、ステップ１１６で算出した電気代をＨＥＭＳ３０又は携帯情報端末６４に送信して処理を終了する。ステップ１１２で否定判定の場合には、特定の時間帯での消費電力量に基づく電気代を算出せずに処理を終了する。
【０１１３】
なお、図１０においては、ステップ１１０、１１６で消費電力量に基づく電気代を送信したが、本実施の形態では、電気代（円）に代えて消費電力量（ＫＷｈ）を送信してもよい。
【０１１４】
以上説明したように本実施の形態によれば、電気代等の算出をＨＥＭＳ３０ではなく、情報処理サーバ６２に代行させることで、ＨＥＭＳ３０の負荷を低減できると共に、情報処理サーバ６２が算出した結果をネットワーク６０を介して、ＨＥＭＳ３０のみならず携帯情報端末６４に送信し表示できる。なお、携帯情報端末６４で表示可能とする場合、ＨＥＭＳ３０は住宅内のデータの収集と情報処理サーバ６２へのデータ送信の機能があれば表示部４６は備えていなくてもよい。
【符号の説明】
【０１１５】
１０  住宅
１２  系統電力
１４  分電盤
１８  エアコン
２０Ａ、２０Ｂ、２０Ｃ、２０Ｄ、２０Ｅ  分岐回路
２２Ａ、２２Ｂ、２２Ｃ、２２Ｄ、２２Ｅ  電流センサ
２４Ａ、２４Ｂ、２４Ｃ、２４Ｄ、２４Ｅ  分岐ブレーカー
３４Ａ、３４Ｂ  人感センサ
３６  ＣＰＵ
３８  ＲＯＭ
４０  ＲＡＭ
４６  表示部
４８  操作部
５０  メモリ
５２  電気錠
５４  終端装置
５６  リビング
５８  キッチン
６０  ネットワーク
６２  情報処理サーバ
６４  携帯情報端末
７２  期間単位選択ボタン
７４  年月日表示部
７６  年月日選択ボタン
８０  表示単位選択ボタン
８２  グラフ表示選択ボタン
８４  全体表示部
８６  行動履歴表示部
８８  電気料金単価表示部
９０  詳細表示部
９２  表示内容切替ボタン
９４  時間帯表示部
９６  時間帯選択ボタン
１２０ 情報サーバ
【図１】
2014178766.tif 000003
【図２】
2014178766.tif 000004
【図３】
2014178766.tif 000005
【図７】
2014178766.tif 000006
【図８】
2014178766.tif 000007
【図９】
2014178766.tif 000008
【図１０】
2014178766.tif 000009
【図４】
2014178766.tif 000010
【図５】
2014178766.tif 000011
【図６】
2014178766.tif 000012